(57)【特許請求の範囲】
【請求項１】
（ａ）３８０〜４８０ｎｍの波長域内に主波長を有する１個又は複数個のＬＥＤからなるグループＢのＬＥＤからの光が蛍光体／混色蛍光体を励起する、１個又は複数個のＬＥＤからなる、グループＰのＬＥＤのうちの少なくとも１個のＬＥＤと、
（ｂ）６００〜６４０ｎｍの波長域内に主波長を有する１個又は複数個のＬＥＤからなるグループＲのＬＥＤのうちの少なくとも１個のＬＥＤと、
（ｃ）前記グループＢのうちの少なくとも１個のＬＥＤと、から構成されるＬＥＤモジュールであって、
（ｄ）前記グループＰの少なくとも一個のＬＥＤと前記グループＲの少なくとも一つのＬＥＤと、前記グループＢの少なくとも一つのＬＥＤと、の放射が付加的に混色されるＬＥＤモジュールにおいて、
（ｅ）ＣＩＥ  ｘ座標の関数として単位（ｌｍ／Ｗ）によって測定された発光効率を最大又は最大より２０％以下とならないようにグループＰの前記少なくとも一つのＬＥＤの蛍光体／混色蛍光体の濃度が選択され、
（ｆ）前記ＬＥＤモジュールが、前記グループＰの少なくとも一個のＬＥＤと、前記グループＲの少なくとも一つのＬＥＤと、前記グループＢの少なくとも一つのＬＥＤと、からなり、そして、
（ｉ）白色光が生成されて、白色光の色度がプランク曲線上又はプランク曲線付近にあり、前記白色光の色温度が２８００Ｋから６５００Ｋの範囲でステップレスに調整可能であるように、そして、
（ｉｉ）Ｒａ８の色再現性が少なくとも８５になるように、作動され、かつ制御されまたは調整される、ＬＥＤモジュール。
【請求項２】
発生された白色光の色温度が、グループＰとグループＲとグループＢの前記ＬＥＤの色度によって決められる色空間内に配置されたプランク曲線のその範囲の少なくとも一つの部分範囲内でステップレスに調整されることを特徴とする、請求項１に記載のＬＥＤモジュール。
【請求項３】
前記蛍光体／混色蛍光体を励起するためのグループＢの前記ＬＥＤと、グループＲの前記ＬＥＤが、前記蛍光体／混色蛍光体を含む共通の色変換層に配置されていることを特徴とする、請求項１または２に記載のＬＥＤモジュール。
【請求項４】
請求項１乃至３のうちのいずれか一項に記載のＬＥＤモジュールを有する標準照明具。
【発明の詳細な説明】
【背景技術】
【０００１】
発光ダイオード（ＬＥＤ）をベースとした白色光を発するＥＬランプの各種実施の形態が知られている。主に２種類の実施形態が公知となっている。第１の実施形態では、３個の単色ＬＥＤの発光が混合されて白色光を形成している。通常は原色として、赤色、緑色、青色が使用され、略してＲＧＢと称される。
【０００２】
第２の実施形態は、変換発光物質の使用をベースとしており、通常略して蛍光体と称されている。ＬＥＤの一次放出の一部（約４６０ｎｍの波長域ではほとんど青色）が蛍光体によって吸収され、高波長の二次放出として再放射される。放射波長は、５００ｎｍ（緑色）から６３０ｎｍ（赤色）に亘る。補色放射の蛍光体（青色には黄色）を使用すると、さらに白色発光が実現される。この種の解決策には多くの特許があり、例えば国際公開公報第ＷＯ０２／０５４５０２（Ａ１）号又は独国特許公報第１９６３８６６７（Ｃ２）号などが挙げられる。
【０００３】
従来技術によるＥＬランプの欠点は、各ＬＥＤの温度係数が異なり、寿命に亘って異なる挙動をするので、ＲＧＢの実施の形態では発光色が温度に依存することである。これは、たとえば、独国特許公報第６００２１９１１（Ｔ２）号に記載されているように、相応な費用の制御装置若しくは調整装置によって調整することができる。
【０００４】
さらに、ＲＧＢ仕様の本質的な欠点は、色再現性が劣ることである。表０１に掲げたＬＥＤの組み合わせでは、Ｒａ８値２２が得られる。スペクトルが図０１に示されている。横座標は波長（ｎｍ）、縦座標は強度を示している。
【０００５】
【表１】
0006037541.tif 000002
【０００６】
アンバーＬＥＤを加えることによって、色再現性を改善することが可能である。表０２に掲げたＬＥＤの組み合わせでは、Ｒａ８値８２が得られる。そのスペクトルが図０２に示されている。しかし、このＬＥＤでは、制御装置若しくは調整装置の費用がかさむ。
【０００７】
【表２】
0006037541.tif 000003
【０００８】
「青色ＬＥＤ＋蛍光体」の実施形態では、冷光（例、６５００Ｋ）を発光するＬＥＤ仕様のグループと温光（例、３０００Ｋ）を発光するグループの、２グループに区分される。
【０００９】
色温度６５００Ｋの実施形態では、効率はよいが、Ｒａ８が約７０−７５と色再現性が不十分である。従って、この実施形態は、一般照明用という条件付きで利用することができる。
【００１０】
色温度３０００Ｋの実施形態では、Ｒａ８が９０を超える。この解決策の重大な欠点は、比較的広い波長域（半値幅が大）で蛍光体が発光してしまうことである。蛍光体による放射エネルギー（放射強度）は、５２０〜８００ｎｍの波長域で放出される。視感度曲線Ｖ（ラムダ）は、６５０ｎｍ以上の波長ではこのエネルギーをほんの少ししか評価しない。したがって、無駄にエネルギーが浪費される。
【００１１】
これらの関係を図面と表によって詳細に説明する。
【図面の簡単な説明】
【００１２】
【図１】従来技術、ＲＧＢ法のスペクトル（３０００Ｋ）
【図２】従来技術、ＲＧＢＡ法のスペクトル（３０００Ｋ）
【図３】従来技術、蛍光体法のスペクトル（３０００Ｋ）とＶ（ラムダ）
【図４】従来技術、累積した放射強度と累積した光束の比較
【図５】ＣＩＥ１９３１標準図
【図６】各種ピーク波長の蛍光体の発光をＣＩＥ１９３１色空間で表示
【図７】蛍光体の濃度増加による放射強度減少
【図８】濃度関数としての蛍光体の効率（ｌｍ／Ｗ）（ＣＩＥ１９３１座標の増加ｘ軸を表示）、比較しやすいように青色ＬＥＤ（＝１）を標準としている。
【図９】ＣＩＥ１９３１色空間において、グループＰのＬＥＤとグループＲのＬＥＤの混色例
【図１０】スペクトルとして表示された、グループＰのＬＥＤとグループＲのＬＥＤの混色例、そして、視感度曲線Ｖ（ラムダ）もプロットされている。
【図１１】図９による試験ランプの累積した放射強度と累積した光束の比較
【図１２】ＣＩＥ１９３１色空間における、グループＰのＬＥＤとグループＢのＬＥＤとグループＲのＬＥＤの混色例
【図１３】図１２の例によるＬＥＤモジュール例。もちろん、グループＢのＬＥＤとグループＲのＬＥＤの強度を制御・調整できる。したがって、表示している３つのスペクトルを１つのモジュールで実現できる。
【図１４】４個のＬＥＤが直列接続された回路図
【図１５】２グループに分けて別々に制御・調節可能な４個のＬＥＤの回路図
【図１６】３グループに分けて別々に制御・調節可能な６個のＬＥＤの回路図
【図１７】３グループに分けて別々に制御・調節可能な１８個のＬＥＤを有するＬＥＤモジュールの図
【図１８】標準ソケットＥ２７を備えたＬＥＤ照明具の図
【図１９】リフレクタを備えたＬＥＤランプの図。１つのＬＥＤモジュール又は複数のＬＥＤモジュールを使用できる。
【図２０】共通の蛍光体素子を使用したグループＢのＬＥＤとグループＲのＬＥＤとを備えたＬＥＤモジュールの略図
【発明を実施するための形態】
【００１３】
温白色光（２７００−３５００Ｋ）を発光するには、赤色蛍光体も使用しなければならない。これに相当する３０００Ｋスペクトルを図３に示している。図３の横座標は波長（ｎｍ）であり、縦座標は１を基準とした強度である。同様に図３には、視感度曲線Ｖ（ラムダ）も表示されている。６００ｎｍを超えたところの面積範囲ｘｘの考察が重要である。この面積範囲ｘｘは、Ｖ（ラムダ）曲線の減少曲線部とスペクトル曲線との間にある。
【００１４】
この範囲では、Ｖ（ラムダ）のために放射強度がきわめて低く評価される。つまり、比較的多くのエネルギーが消費されても、あまり発光されない。発光体が幅広いスペクトルで発光するのがその原因である。
【００１５】
【表３】
0006037541.tif 000004
【００１６】
放射エネルギー（放射強度）が８０％に達すると、光束の９９％が発生する。放射エネルギーの２０％（約６５０ｎｍ以降）では、光束の１％しか発生しない。図０４は、この関係をグラフに示している。図０４の横座標は波長（ｎｍ）で、縦座標は累積した放射強度若しくは累積光束（％）である。
【００１７】
すべての蛍光体変換法は、赤色蛍光体の広い発光と赤色蛍光体の低効率のために（図０８）、Ｖ（ラムダ）によって低く評価された放射強度が生じる。１％の光を生じるためには放射強度の２０％が必要となる。
【００１８】
前述した実施の形態のほかに、混合形式も知られている。例えば、白色発光のＬＥＤ（蛍光体付き）が必要に応じて単色赤色ＬＥＤを手動制御できる独国特許公報第１０３５３２９３（Ａ１）号が挙げられる。それにより水中ランプが実現され、ランプ利用者は波長依存吸収によって生じる個々のスペクトル色の異なる動作範囲を一定範囲に調整することができる。
【００１９】
独国特許公報第１０２１６３９４（Ｂ３）号は、白色ＬＥＤ（青色＋蛍光体）のほかにシアン（青緑色）、緑色、黄色、赤色の４色を使用している構造を記載している。これによってきわめて良好な色再現が実現されるが、効率は改善されていない。
【００２０】
独国実用新案公報第２０１０４７０４（Ｕ１）号では、白色ＬＥＤと黄色ＬＥＤとの組み合わせが記載されている。主な特徴は、青色成分が黄色によって補正されるということである。明らかに冷白色に多くの青色成分が使用されているので、高効率のＬＥＤ照明具は実現されない。
【００２１】
独国実用新案公報第２０２００６００３８（Ｕ１）号は、バイオリアクターのランプを記載しているが、細胞培養が最も進む波長域が可能であれば使用されるべきである光合成細胞培養に関して、スペクトル領域を個別に制御することが可能である。
【００２２】
独国実用新案公報第２０３１７４４４（Ｕ１）号は街路照明を記載しており、スペクトル放射の主成分は緑色であるが、赤色、アンバー（琥珀色）、青色、白色も使用している。
【００２３】
従来技術による欠点として、不十分な色再現、放射エネルギー（放射強度）の非効率な利用、技術コストのかかる構造が挙げられねばならない。
【００２４】
本発明の課題は、ＬＥＤ照明具とＬＥＤランプのためのＬＥＤモジュールを提供することであるが、該ＬＥＤモジュールはできるだけ高効率で色再現性に優れ、従来法による欠点のないものである。
【００２５】
この課題を解決するために、本発明は請求項１による技術的教示によって特徴付けられる。
【００２６】
本発明によるＬＥＤモジュールは、蛍光体ベースのＬＥＤ法の利点とＲＧＢ法の利点を統合している。
【００２７】
定義：
ＣＩＥ１９３１：
ＣＩＥ標準表色系又はＣＩＥ標準色系は、国際照明委員会（ＣＩＥ−Commission internationale de l'eclairage）の定義で、人間の色認識器官による色を表している。この図によって色度を２つの座標で示すことができる。図０５はＣＩＥ１９３１図である。横座標はＣＩＥ１９３１図のｘ値で、縦座標はＣＩＥ１９３１図のｙ値である。
【００２８】
ＣＩＥ標準色度図では、座標系に馬蹄型の候補色範囲をプロットし、任意色Ａ、Ｂ、Ｃ、Ｅ（ＣＩＥ標準理論原色Ｘ、Ｙ、Ｚ（ＣＩＥ  ＸＹＺ色空間とも称す）のｘ成分とｙ成分を直接読み取ることができる。基本条件ｘ＋ｙ＋ｚ＝１によって、ｚ成分は計算（ｚ＝１−ｘ−ｙ）によってその都度求められる。全候補色は、スペクトル色ライン（スペクトル純色）とパープルラインによって囲われている。
【００２９】
図の中央基準点は、すべての測色状況の基本である白色点Ａ（約３０００Ｋ）である。照明状況によって、これは実際には馬蹄内の至る所に存在できるが、しかし、技術的に重要なのは、色Ａ、Ｂ、Ｃ、Ｄ、Ｅが理想放射体（黒体）の温度（ケルビン）として表せる黒体曲線のみである。使用している色空間のほかに、スペクトル色ライン上で特殊な状況に対応するスペクトル色を読み取ることができる。Ａ、Ｂ、Ｃ、Ｄ、Ｅの正反対側で、延長ライン上の補色を読み取ることができる。この場合において、パープルラインとの交点で定義される点は、最大（純）補色である。
【００３０】
図０５に示した点Ａ、Ｂ、Ｃ、Ｄ、Ｅを次に説明する。
【００３１】
本来、ＣＩＥ標準表色系はとりわけ照明問題に関して開発された。この標準表色系は、原則としてＸ値、Ｙ値、Ｚ値をできるだけ組み合わせることができるが、簡易化と比較化のために特定のスペクトル標準発光色が定義された−それらのすべてはいずれにしても黒体曲線上に位置し、特定の色温度に対応している。
【００３２】
【表３Ａ】
0006037541.tif 000005
【００３３】
標準色温度：
次の色温度の標準色を、ｘ、ｙ座標で次のように表すことができる。
【００３４】
【表４】
0006037541.tif 000006
【００３５】
蛍光体：
これらは、特定波長の放射線を吸収し、別波長の放射線を発（放射）する一般的な発光物質のことである。放射された放射線は、通常、長波長である。それにより紫外域でも可視域でも、蛍光体の励起が発生する。入手可能な蛍光体は、通常幅広い波長域で励起され、それらは励起スペクトルと言われる。また、一つの波長ばかりでなく、特定の波長域でも放射は生じる。このように蛍光体を特徴付けるには、ピーク波長、主波長、半値幅（最大強度の５０％の範囲（ｎｍ））、ＣＩＥ（１９３１）色空間の色度など、必ず複数のパラメータが挙げられる。放射波長は発光色を特定する。量子収率は、吸収された放射線のどの部分が再放射されるのかを明らかにする。
【００３６】
ＬＥＤにより白色光を再現するには、とりわけ約４６０ｎｍの主波長の一次放射を吸収し、５００〜６３０ｎｍのピーク波長の波長領域で発光するタイプが対象となる。この種の解決策は多くの特許で説明されており、例えば前述の国際公開公報第ＷＯ０２／０５４５０２（Ａ１）号又は独国特許公報第１９６３８６６７（Ｃ２）号が挙げられる。
【００３７】
表０５に蛍光体を例示する：
【００３８】
【表５】
0006037541.tif 000007
【００３９】
上記蛍光体は、商用生産されている標準タイプである。有効利用に不可欠なのが、ピーク波長とＣＩＥ色空間色度である。
【００４０】
図０６は、青色ＬＥＤと蛍光体との混色例を示している。図０６の横座標はＣＩＥ１９３１図のｘ座標で、横座標はＣＩＥ１９３１図のｙ座標である。蛍光体の濃度又は蛍光体の混色によって、青色ＬＥＤと蛍光体（若しくは混色体）との間の線上に各点が調整される。
効率：
吸収と放射という前記プロセスのほかに、蛍光体の利用では常に光の散乱と反射も生じる。いずれのプロセスも光の収量を減少させる。
【００４１】
約４６０ｎｍの主波長のＬＥＤに蛍光体濃度を増加した蛍光体素子を配置して、放射強度［Ｗ（ワット）］を測定すると、蛍光体濃度が高いと損失が大きいことが判明する。
【００４２】
図０７は、この関係を明確に表している。図０７の横座標はＣＩＥ１９３１図のｘ座標で、縦座標は放射強度［ｍＷ］である。明らかに、蛍光体濃度が高いと放射強度が減少している。この関係は現在知られており、測定用に入手可能な蛍光体のすべてにおいてあてはまる。
【００４３】
しかし、光源として利用するには視感度（Ｖ−ラムダ）による重み付けも必要である。この重み付けを行うと共に、光強度（ルーメン）を蛍光体濃度の関数としてとらえると、最初に強度が増加して最大を過ぎてからまた減少する。つまり、蛍光体のある濃度を超えると損失が支配的に成る。図０８ではこの関係を明確に表している。
【００４４】
図０８の横座標はＣＩＥ１９３１図のｘ座標で、縦座標は青色ＬＥＤの標準効率（ｌｍ／Ｗ）である。
【００４５】
このことは、光源の効率として、使用する蛍光体のタイプごとに最大効率（ｌｍ／Ｗ）が存在することを意味する。図０８によれば、蛍光体Ｐ−５３５はＣＩＥ１９３１ｘ座標のｘが約０．３１のときに最大効率となることを示している。
【００４６】
同様に図０８によれば、蛍光体Ｐ−５６５はＣＩＥ１９３１ｘ座標のｘが約０．４１のときに最大効率となり、さらに図０８によれば、蛍光体Ｐ−６１０はＣＩＥ１９３１ｘ座標のｘが約０．３９から０．５６の範囲で最大効率となることを示している。さらに図０８は、蛍光体の最大効率が多様であることを示している。蛍光体Ｐ−５３５は、蛍光体Ｐ−５６５よりも効率が高い。
【００４７】
本発明は、放射線を放射する蛍光体がその都度最大の効率で（又は最大付近の範囲で）作動されるようにしてのみＬＥＤ照明具を作動するという知見を利用している。
【００４８】
最大効率それ自体で作動することが好適である。本発明は、各蛍光体又は混色蛍光体における最大効率の２０％減までの範囲での作動法も包括している。したがって、最大効率に相当するか又はその付近になるように色度が調整される。
グループＢ：
グループＢは、３８０〜４８０ｎｍの波長域の１主波長を有する発光ダイオード又は発光ダイオード群である。同様にグループＢは、３８０〜４８０ｎｍの波長域の各種主波長を有する発光ダイオード群によっても構成されうる。
グループＧ：
グループＧは、５００〜５６０ｎｍの波長域の１主波長を有する発光ダイオード又は発光ダイオード群である。同様にグループＧは、５００〜５６０ｎｍの波長域の各種主波長を有する発光ダイオード群によっても構成されうる。
グループＲ：
グループＲは、６００〜６４０ｎｍの波長域の１主波長を有する発光ダイオード又は発光ダイオード群である。同様にグループＲは、６００〜６４０ｎｍの波長域の各種主波長を有する発光ダイオード群によっても構成されうる。
グループＰ：
グループＰは、グループＢの発光ダイオードが蛍光体を励起する発光ダイオード又は発光ダイオード群である。蛍光体／混色蛍光体の濃度は、発光効率（ｌｍ／Ｗ）が最大又は最大付近となるように選択される。
発明：
本発明による解決策では、最大効率（ｌｍ／Ｗ）範囲内で達成される蛍光体（グループＰ）の効率を利用し、そこから白色光を再現している。
【００４９】
図０９は、ＣＩＥ１９３１における混色を示している。ここで、色温度３０００Ｋの温白色光を、グループＰとグループＲのＬＥＤの混色によって再現している。図１０では混色スペクトルが示されている。図１０の横座標は波長（ｎｍ）で、縦座標は強度（ｍＷ）である。さらに、図１０では、Ｖ（ラムダ）曲線が表されている。グループＰのＬＥＤとグループＲのＬＥＤを混色すると、放射強度と発光効率（ｌｍ／Ｗ）が最適なエネルギー収支となる。色再現性Ｒａ８は９１である。
【００５０】
本発明によるこの最適なエネルギー収支は、Ｖ（ラムダ）曲線の低下曲線部における面積ｘｘの減少（グループＲの利用）を組み合わせた蛍光体（グループＰ）の最大効率を利用して生み出される。ハッチング部は、従来技術（図０３）よりも著しく減少した面積ｘｘ（図１０）を示している。この減少した面積ｘｘ（図１０）が、従来技術に対する本発明の主な利点を生成する。
【００５１】
従来技術による解決策は、色変換（蛍光体）によって正確にプランク曲線に適合させようとしている。本発明では意識的にこの解決策をやめ、例えば、グループＢとＲのＬＥＤの低半値幅に関連した蛍光体（グループＰ）の最大効率を利用している。Ｖ（ラムダ）曲線による低い重み付けの範囲内では、低半値幅が利点である。
【００５２】
試験モデルの対応する測定値が、表０６と図１１に示されている。グループＰのＬＥＤにグループＲのＬＥＤを混色して、白色光を生成している。そのスペクトルが図１０に示されている。
【００５３】
【表６】
0006037541.tif 000008
【００５４】
図１１はこの関係のグラフ図である。図１１の横座標は波長（ｎｍ）で、縦座標は累積放射強度又は累積光束（％）である。
【００５５】
放射強度の９２％が光束の９９％を生成する。放射エネルギーの８％（６５０ｎｍ以上）が、光束の１％を生成する（図１１を参照）。
【００５６】
本発明による実施の形態は、ＬＥＤモジュール、ＬＥＤ照明具又はＬＥＤランプが高効率と良好な色再現性を有することを可能にする。単に蛍光体をベースとした解決策と比較すると、効率（同等の色度再現で）は少なくとも２０％改善される。そのように構成して試験した実施例では、２５％のエネルギーセーブが達成された。
【００５７】
さらにこの解決策の主な利点は、グループＢのＬＥＤ（青色ＬＥＤ）の混色によって、きわめて簡単に色温度をステップレスな方法で調整又は制御できるということである。さらに、各グループ（グループＢ、グループＰ、グループＲ）の頂点間に存在する色空間が生成され、すべての色をこの色空間内に構成することができる。図１２は、３グループによって生成された色空間を示している。
【００５８】
特に白色光は、プランク曲線に沿って効率が良く、良好な色再現性を伴って生成される。試験モデルの対応する測定値は、色温度が２５００Ｋと８０００Ｋの間で制御又は調整でき、Ｒａ８の色再現性は色温度全域で約９０であることを示している。
【００５９】
色温度を、例えば、４２００Ｋに調整することは、グループＰの色度から、所望の混色度がグループＰとグループＢの両点間の直線上で生成されるまで、グループＢの強度が増加されることで行われる。グループＲの強度は、目標色度（例えば４２００Ｋ）がプランク曲線上で達成されるまでは増加されねばならない。図１２は、目標色度４２００Ｋに対する３グループの混色を示している。図１３は、色度が２８００Ｋ、４２００Ｋ、６５００Ｋのスペクトルを示している。
【００６０】
ＬＥＤモジュールの好適な実施の形態は、ＣＯＢ（チップ・オン・ボード）ベースの本発明によるＬＥＤモジュールである。
【００６１】
ＬＥＤモジュールのさらに有利な形態は、グループＰのＬＥＤとグループＲのＬＥＤが共通の色変換層の中に配置されることを特徴としている。
【００６２】
さらに有利な実施の形態では、本発明によるＬＥＤがＳＭＤ−ＬＥＤ素子をベースとしている。
【００６３】
図１４では、第１の実施の形態として、色度達成のための複数ＬＥＤの直列接続回路を示している。グループＰのＬＥＤ３個とグループＲのＬＥＤ１個が、ＬＥＤモジュールとして構成されている。
【００６４】
ＬＥＤの選択数は、各ＬＥＤの性能に依存する。したがって、ＬＥＤ数とその比率は固定されているものと解されるべきではない。
【００６５】
この比率は、２：１又は４：２やその他もありえる。
【００６６】
図１５は、グループＰのＬＥＤがグループＲのＬＥＤから別個に制御される修正された実施例を示している。これにより正確な調整が可能となる。各色度に対してプランク曲線をより正確に適合させることができる。
【００６７】
図１６は、さらに別々に制御可能な６個のＬＥＤを有する回路図である。グループＰとグループＲのＬＥＤに加えて、グループＢのＬＥＤを使用可能である。この実施の形態によって、色温度を２５００Ｋから８０００Ｋの範囲内で調整することができる。
【００６８】
図１７は、コネクタを含む１８個のＬＥＤを有するＣＯＢ  ＬＥＤモジュールを示している。色温度を２５００Ｋから８０００Ｋの間で制御又は調整することができる。このモジュールは、目下、全制御範囲で６０ｌｍ／Ｗの効率と、９０以上のＲａ８値を有している。
【００６９】
図１８では、本発明によるＬＥＤモジュールと付属電子部品をハウジングに組み込んでおり、規格化された標準照明具として使用できるように電気接続部、形状、寸法を選定している。特に標準白熱電球、標準ハロゲン電球、又は、標準蛍光灯と小型蛍光灯として使用できる。このような標準ランプは、特に規格Ｅ＊＊（特にＥ２７）、Ｇ＊、ＧＵ＊、Ｍ＊、Ｂ＊、Ｔ＊のいずれかに規定されている。したがって、標準照明具に組み込まれた本発明によるＬＥＤモジュールは、これらの規格に準じた白熱電球などとうまく置換可能である。
【００７０】
図１８のＬＥＤ照明具は、現在は消費電力８〜１０Ｗ、５００〜６００ルーメンの光束を有している。つまり、消費された１０Ｗは効率の点でほぼ６０Ｗの白熱電球のそれに相当する。図１８に示した変形例では、エネルギーを約８０％節約できる。図１９では、ＬＥＤ照明具は前記ＬＥＤモジュールを１つ又は複数備えている。カバーはダスト保護及び／又は拡散体として利用される。冷却体は、好ましい放熱を補償する冷却リブを備えている。
【００７１】
図１９は、ランプに組み込んだ本発明のＬＥＤモジュールを示している。そこでは、ＬＥＤモジュールはリフレクタ内に組み込まれ、その底面には冷却体が配置されている。リフレクタの角度によって、方向特性が中央範囲に合わされている。
【００７２】
これは、ＬＥＤモジュールがランプにも組み込むことができ、照明具に使用されるばかりではないことを示した例である。
【００７３】
図２０は、共通の蛍光体素子の中にグループＢのＬＥＤとグループＲのＬＥＤとによるＬＥＤモジュールを略式に示している。この実施の形態はスペクトル成分の混色に特に有利で、拡散体素子を省略可能である。
【００７４】
ここに示した統合照明具は、小さなスペースに、グループＰのＬＥＤとグループＲのＬＥＤを共通基板上にまとめている。各ＬＥＤは基板で電気的に接触されている。
【００７５】
グループＢのＬＥＤは蛍光体を励起して、転換放射を外部に発する放射を行う。グループＲのＬＥＤの放射は蛍光体によって影響されないので、被っている蛍光体素子表面では、グループＰとグループＲの放射が追加的に混色されて所望の白色光の印象を与える。
【００７６】
発明の主な特徴をまとめ、短い箇条書きで再掲する：
・最適なエネルギー収支−効率のＬＥＤモジュール
・Ｒａ８が８５以上（代表的なのが９０〜９５）のＬＥＤモジュール
・ＣＯＢ技術又はＳＭＤ技術で構成されたＬＥＤモジュール
・一つの蛍光体素子に配した各種グループのＬＥＤ
・標準ソケット（Ｅ２７など）付きＬＥＤ照明具向けの本発明によるＬＥＤモジュール
・リフレクタ付きの本発明によるＬＥＤモジュールを有するランプ
・レンズ付きの本発明によるＬＥＤモジュールを有するランプ
・制御／調整可能な色温度のＬＥＤモジュール
本発明によるＬＥＤモジュールは、高品質（Ｒａ８＞８５）の高効率白色光を生成する。したがってこのＬＥＤモジュールは、一般照明、店舗照明、オフィス照明、博物館照明、医療技術、工業用照明などに利用するのが特に望ましい。
【００７７】
制御／調整可能な色温度は、Ｓ／Ｐ比（暗所視／明所視）をステップレスに変更することができる。したがって、このＬＥＤモジュールを街路照明で有利に使用することができる。色温度をステップレスで変更できるので、薄明視（ｍｅｓｏｐｉｓｃｈ）のときの人間の視力の欲求が考慮される。
【００７８】
【表７】
0006037541.tif 000009
【００７９】
【図１】
0006037541.tif 000010
【図２】
0006037541.tif 000011
【図３】
0006037541.tif 000012
【図４】
0006037541.tif 000013
【図５】
0006037541.tif 000014
【図６】
0006037541.tif 000015
【図７】
0006037541.tif 000016
【図８】
0006037541.tif 000017
【図９】
0006037541.tif 000018
【図１０】
0006037541.tif 000019
【図１１】
0006037541.tif 000020
【図１２】
0006037541.tif 000021
【図１３】
0006037541.tif 000022
【図１４】
0006037541.tif 000023
【図１５】
0006037541.tif 000024
【図１６】
0006037541.tif 000025
【図１７】
0006037541.tif 000026
【図１８】
0006037541.tif 000027
【図１９】
0006037541.tif 000028
【図２０】
0006037541.tif 000029